(57)【要約】      （修正有）【課題】一の部材と他の部材とをスライド開閉自在に重合するスライド装置において、位置決め機構を設けずとも、スムーズなスライドを容易に実現可能となるスライド装置並びにスライド装置を用いた電子機器を提供する。【解決手段】第一部材１と第二部材２とをガイド部３を介してスライド自在に重合し、この第一部材１に対して第二部材２が覆い閉塞した重合閉塞状態から、第一部材１に対して第二部材２をスライド移動することで、第一部材１の重合面が露出するスライド開放状態となるように構成したスライド装置であって、弾性部材４の一端を第一部材１に連結し他端を第二部材２に連結し、第一部材１に対して第二部材２を所定長スライドさせるまでは、第二部材２が重合閉塞方向へ戻り動する閉じ付勢が生じ、所定長スライドさせると逆に開放スライド方向に進み動する開き付勢が生じるように構成したスライド装置。【選択図】        図２
2004253526.tif 000002
【特許請求の範囲】
【請求項１】
第一部材と第二部材とをガイド部を介してスライド自在に重合し、この第一部材に対して第二部材が覆い閉塞した重合閉塞状態から、第一部材に対して第二部材をスライド移動することで、第一部材の重合面が露出するスライド開放状態となるように構成したスライド装置であって、弾性部材の一端を第一部材に連結し他端を第二部材に連結し、第一部材に対して第二部材を所定長スライドさせるまでは、第二部材が重合閉塞方向へ戻り動する閉じ付勢が生じ、所定長スライドさせると逆に開放スライド方向に進み動する開き付勢が生じるように構成したことを特徴とするスライド装置。
【請求項２】
前記弾性部材は左右に連結端を有する略ヘ字状体で構成し、この弾性部材の左右の連結端が互いに離れようとする拡角付勢が生じるようにしてこの弾性部材の左右の連結端の一端を前記第一部材に連結し、他端を前記第二部材に連結して構成したことを特徴とする請求項１記載のスライド装置。
【請求項３】
前記弾性部材はヘ字状の板バネ若しくはヘ字状の線バネ又は中間部を巻回してコイル状部を頂部に有して左右に連結端を有する全体視略ヘ字状のコイルバネとしたことを特徴とする請求項２記載のスライド装置。
【請求項４】
前記略ヘ字状の弾性部材の前記左右の連結端を互いに接近押圧してこの連結端の一端を前記第一部材に連結し、他端を前記第二部材に連結して、この弾性部材に前記連結端が互いに離れようとする拡角付勢が生じるように構成し、この左右の連結端に生じる拡角付勢力がスライド移動力として働かないスライド位置を境として、第一部材に対して第二部材をこのスライド位置までスライド移動させる間は、この拡角付勢によって第二部材に閉じ付勢が生じ、このスライド位置を超えた位置までスライド移動させることこの拡角付勢によって第二部材に開き付勢が生じるように構成したことを特徴とする請求項２，３のいずれか１項に記載のスライド装置。
【請求項５】
操作部を設けた本体部と重合部とを、前記操作部を操作しない時にはこの操作部を覆うように重合配設し、この重合閉塞状態から前記重合部を相対的に重合面に対して略平行にスライド移動して操作部を露出させるスライド開放状態とすることができるように前記本体部と前記重合部とをスライド自在に連結するスライド装置を有し、このスライド装置には、前記本体部を前記第一部材若しくは第二部材とし、前記重合部を前記第二部材若しくは第一部材とした前記請求項１〜４のいずれか１項に記載のスライド装置を用いたことを特徴とするスライド装置を用いた電子機器。
【発明の詳細な説明】
【０００１】
【発明の属する技術分野】
本発明は、スライド装置並びにスライド装置を用いた携帯電話，モバイルなどの電子機器に関するものである。
【０００２】
【従来の技術及び発明が解決しようとする課題】
例えば従来の折り畳み式の携帯電話は、数字キーやファンクションキーを配列した操作部を下側となる本体部の上面側に設け、この操作部のキー操作などにより所定の表示がなされる液晶パネルなどのディスプレイ部を上側となる重合部の伏面側（重合側）に設け、この本体部と重合部とをヒンジ装置を介して連結して、本体部と重合部とを二つ折り重合して操作部を重合部により隠蔽した折り畳み閉塞状態から、ヒンジ装置により重合部を起伏回動して反転し、操作部とディスプレイ部とが露出した開放状態に切り替えできるように構成している。
【０００３】
そのため、従来このような起伏回動する重合部で本体部の操作部を覆う電子機器においては、折り畳み重合してコンパクト化できるものの操作部を隠蔽した重合状態ではディスプレイ部も隠蔽してしまう構造となり、コンパクト化した状態での使用が制限されざるを得なく不便である場合も多い。
【０００４】
また、操作部を操作する場合には、ディスプレイ部を設けた重い重合部を立ち起こし反転回動させなければならず、この開閉動作（特に開放動作）させずらい欠点もある。
【０００５】
そこで、起伏回動により開閉動作するのではなく、重合面に沿って前後方向に重合部をスライド移動して開閉動作するように構成すれば、重合部の上側面にディスプレイ部を設けることもできるし、また、本体部にディスプレイ部と操作部とを設け、この双方あるいは操作部のみをスライド開閉フリップとなる重合部で覆うことができ、例えば不使用時あるいはキー操作不要時に誤作動防止のために重合部で操作部を覆うことができ、またこの重合閉塞状態においても、言い換えるとたとえ重合部を本体部に重合して操作部を隠蔽したコンパクト化状態においても、ディスプレイ部が上側に露出配設され、ディスプレイ部を視認したり、機能させたりすることが可能となり、また重合した状態から操作部及びディスプレイ部を露出した状態に切り替える場合は、重合面に沿って前後方向に重合部をスライド移動することで行なえるため、この開放動作（操作部の露出動作）も非常に容易に行なえ、機器装置として使用用途が広がり、しかも前記開閉動作も容易となる携帯電話，モバイルなどの電子機器となる。
【０００６】
このようにスライド開閉方式に構成する場合には、本体部と重合部とをスライド自在に連結するスライド装置を用いることになるが、本体部の操作部を重合部で隠蔽した重合閉塞位置と、重合部を位置ズレするように前後方向へスライド移動させて操作部を露出させたスライド開放位置とで位置決め保持（クリック係合）するように構成することが望ましい。
【０００７】
しかし、この位置で夫々ロック機構を設けることは構造が複雑となりコストアップになりかねないし、またスライド途中で重合部がフリーでふらついてしまうことも好ましいとは言えない。
【０００８】
本発明は、このような問題を解決すべく試行錯誤を繰り返し、一の部材と他の部材とをスライド開閉自在に重合するスライド装置において、仮に重合閉塞位置やスライド開放位置に位置決め機構を設けずとも、簡単な構成によってスライド閉塞付勢がなされ、しかも所定長開放スライドさせると逆に自動的に開放方向に開き付勢が生じ、開放動作が軽くなったり、設計によっては手を放しても自動的にスライド開放するように構成でき、閉じ付勢と開き付勢の双方が各範囲で夫々生じて、スライド部材がスライド途中でふらつくことがないように設計可能な画期的なスライド装置並びにスライド装置を用いた電子機器を実現でき、しかも、量産性に秀れ、且つスムーズなスライドを容易に実現可能となる画期的なスライド装置並びにスライド装置を用いた電子機器を提供することを目的としている。
【０００９】
【課題を解決するための手段】
添付図面を参照して本発明の要旨を説明する。
【００１０】
第一部材１と第二部材２とをガイド部３を介してスライド自在に重合し、この第一部材１に対して第二部材２が覆い閉塞した重合閉塞状態から、第一部材１に対して第二部材２をスライド移動することで、第一部材１の重合面が露出するスライド開放状態となるように構成したスライド装置であって、弾性部材４の一端を第一部材１に連結し他端を第二部材２に連結し、第一部材１に対して第二部材２を所定長スライドさせるまでは、第二部材２が重合閉塞方向へ戻り動する閉じ付勢が生じ、所定長スライドさせると逆に開放スライド方向に進み動する開き付勢が生じるように構成したことを特徴とするスライド装置に係るものである。
【００１１】
また、前記弾性部材４は左右に連結端４Ａを有する略ヘ字状体で構成し、この弾性部材４の左右の連結端４Ａが互いに離れようとする拡角付勢が生じるようにしてこの弾性部材４の左右の連結端４Ａの一端を前記第一部材１に連結し、他端を前記第二部材２に連結して構成したことを特徴とする請求項１記載のスライド装置に係るものである。
【００１２】
また、前記弾性部材４はヘ字状の板バネ若しくはヘ字状の線バネ又は中間部を巻回してコイル状部４Ｂを頂部に有して左右に連結端４Ａを有する全体視略ヘ字状のコイルバネとしたことを特徴とする請求項２記載のスライド装置に係るものである。
【００１３】
また、前記略ヘ字状の弾性部材４の前記左右の連結端４Ａを互いに接近押圧してこの連結端４Ａの一端を前記第一部材１に連結し、他端を前記第二部材２に連結して、この弾性部材４に前記連結端４Ａが互いに離れようとする拡角付勢が生じるように構成し、この左右の連結端４Ａに生じる拡角付勢力がスライド移動力として働かないスライド位置を境として、第一部材１に対して第二部材２をこのスライド位置までスライド移動させる間は、この拡角付勢によって第二部材２に閉じ付勢が生じ、このスライド位置を超えた位置までスライド移動させることこの拡角付勢によって第二部材２に開き付勢が生じるように構成したことを特徴とする請求項２，３のいずれか１項に記載のスライド装置に係るものである。
【００１４】
また、操作部を設けた本体部と重合部とを、前記操作部を操作しない時にはこの操作部を覆うように重合配設し、この重合閉塞状態から前記重合部を相対的に重合面に対して略平行にスライド移動して操作部を露出させるスライド開放状態とすることができるように前記本体部と前記重合部とをスライド自在に連結するスライド装置を有し、このスライド装置には、前記本体部を前記第一部材１若しくは第二部材２とし、前記重合部を前記第二部材２若しくは第一部材１とした前記請求項１〜４のいずれか１項に記載のスライド装置を用いたことを特徴とするスライド装置を用いた電子機器に係るものである。
【００１５】
【発明の実施の形態】
好適と考える本発明の実施の形態（発明をどのように実施するか）を、図面に基づいてその作用効果を示して簡単に説明する。
【００１６】
第一部材１に対して第二部材２を所定長スライドさせるまでは、第二部材２が重合閉塞方向へ戻り動する閉じ付勢が生じ、所定長スライドさせると逆に開放スライド方向に進み動する開き付勢が生じる。
【００１７】
即ち、一の部材１と他の部材２とをスライド開閉自在に重合するスライド装置において、仮に重合閉塞位置やスライド開放位置に位置決め機構を設けずとも、簡単な構成によってスライド閉塞付勢がなされて閉塞保持されることとなり、しかも所定長開放スライドさせれば逆に自動的に開放方向に開き付勢が生じ、開放動作が軽くなったり、設計によっては手を放しても自動的にスライド開放するように構成できることとなる。
【００１８】
言い換えると、閉じ付勢と開き付勢の双方が夫々閉じ側と開き側の所定範囲で生じて、スライド部材がスライド途中でふらつくことがないように設計可能な画期的なスライド装置並びにスライド装置を用いた電子機器を実現でき、開放保持させることもできることとなる。
【００１９】
具体的には、例えば略ヘ字状の弾性部材４の左右の連結端４Ａを互いに接近押圧してこの連結端４Ａの一端を前記第一部材１に連結し、他端を前記第二部材２に連結して、この弾性部材４に前記連結端４Ａが互いに離れようとする拡角付勢が生じるように構成する。
【００２０】
従って、この左右の連結端４Ａに生じる拡角付勢力がスライド移動力として働かないスライド位置を境として、第一部材１に対して第二部材２をこのスライド位置までスライド移動させる間は、この拡角付勢によって第二部材２に閉じ付勢が生じ、このスライド位置を超えた位置までスライド移動させることこの拡角付勢によって第二部材２に開き付勢が生じることとなるように構成することができる。
【００２１】
【実施例】
本発明の具体的な実施例について図面に基づいて説明する。
【００２２】
本実施例は、携帯電話に本発明を適用したもので、回路基板，電源などの電子部品をケースに内装した板状の第一部材１（本体部１）の上面側に数字キーやファンクションキーなどを配列したキーボード機能を果たす操作部と、この操作部の操作により表示されるディスプレイ部を設け、この本体部１の操作部を覆うようにスライド自在に重合する開閉フリップとしての第二部材２（重合部２）を略水平前後方向にスライド自在にスライド装置により連結した構成としている。
【００２３】
具体的には、第一部材１に対して第二部材２を、ガイド部３を介してスライド自在に重合し、この第一部材１に対して第二部材２が覆い閉塞した重合閉塞状態から、第一部材１に対して第二部材２をスライド移動することで、第一部材１より第二部材２をスライド突出させて第一部材１の重合面が露出するスライド開放状態となるように構成したスライド装置であって、弾性部材４の一端を第一部材１に連結し他端を第二部材２に連結する構成としている。
【００２４】
本実施例の前記ガイド部３は、第一部材１と第二部材２とをスライド自在に係合する係合形状とすると共にガイド孔３Ａとこれに係合する係合部３Ｂとから成る構成としている。
【００２５】
この弾性部材４はヘ字状の板バネ若しくはヘ字状の線バネ、具体的には本実施例では中間部を巻回してコイル状部４Ｂを頂部に有して左右に連結端４Ａを有する全体視略ヘ字状のコイルバネとし、この弾性部材４の左右の連結端４Ａが互いに離れようとする拡角付勢が生じるようにしてこの弾性部材４の左右の連結端４Ａの一端を前記第一部材１に連結し、他端を前記第二部材２に連結して構成している。
【００２６】
即ち、略ヘ字状の弾性部材４の前記左右の連結端４Ａを互いに接近押圧してこの連結端４Ａの一端を前記第一部材１の取付部５に連結し、他端を前記第二部材２のガイド孔３Ａにスライド自在に係合する係合部３Ｂの取付部５に連結して、この弾性部材４に前記連結端４Ａが互いに離れようとする拡角付勢が生じるように構成し、図２，図３に示すようにこの左右の連結端４Ａに生じる拡角付勢力がスライド移動力として働かないスライド位置を境として、第一部材１に対して第二部材２をこのスライド位置までスライド移動させる間は、この拡角付勢によって第二部材２に閉じ付勢が生じ、このスライド位置を超えた位置までスライド移動させることこの拡角付勢によって第二部材２に開き付勢が生じるように構成している。
【００２７】
つまり、本実施例では、図１，図３の（Ａ）に示すように第一部材１を固定したとして、これに対して第二部材２をスライド移動させる場合、弾性部材４の左右の連結端４Ａの位置が図１，図３の（Ｂ）に示すように左右並設する位置まで第二部材２をスライド移動させる間は、連結端４Ａの拡角付勢力が第一部材１に対して第二部材２を戻り動させる力となって閉じ付勢が生じ、左右の連結端４Ａの位置が左右に並設する以上に第二部材２をスライド移動させると、図１，図３の（Ｃ）に示すように連結端４Ａの拡角付勢力が今度は逆に第一部材１に対して第二部材２を更に進みスライドさせる方向に生じて開き付勢が生じるように構成している。
【００２８】
尚、本発明は、本実施例に限られるものではなく、各構成要件の具体的構成は適宜設計し得るものである。
【００２９】
【発明の効果】
本発明は上述のように構成したから、一の部材と他の部材とをスライド開閉自在に重合するスライド装置において、簡単な構成によってスライド閉塞付勢がなされ、しかも所定長開放スライドさせると逆に自動的に開放方向に開き付勢が生じ、開放動作が軽くなったり、設計によっては手を放しても自動的にスライド開放するように構成でき、閉じ付勢と開き付勢の双方が各範囲で夫々生じて、スライド部材がスライド途中でふらつくことがないように設計可能な画期的なスライド装置並びにスライド装置を用いた電子機器を実現でき、しかも、量産性に秀れ、且つスムーズなスライドを容易に実現可能となる画期的なスライド装置並びにスライド装置を用いた電子機器となる。
【００３０】
また、請求項２〜４記載の発明においては、一層容易に本発明を実現でき、一層前記作用・効果が良好に発揮する極めて実用性に秀れたスライド装置となる。
【００３１】
また、請求項５記載の発明においては、前記作用・効果を発揮する電子機器となり、しかも携帯電話に適用すれば、操作部の隠蔽・開放動作が非常に容易に行なえ、しかも簡易な構成で閉じ付勢並びに開き付勢が生じ、また操作部を隠蔽した状態でもディスプレイを利用可能に設計することも容易な極めて画期的な携帯電話となる。
【図面の簡単な説明】
【図１】本実施例の使用状態を示す説明斜視図である。
【図２】本実施例の背面側から見た要部の説明斜視図である。
【図３】本実施例の要部の説明背面図である。
【図４】本実施例の説明断面図である。
【符号の説明】
１  第一部材
２  第二部材
３  ガイド部
４  弾性部材
４Ａ  連結端
４Ｂ  コイル状部
【図１】
2004253526.tif 000003
【図２】
2004253526.tif 000004
【図３】
2004253526.tif 000005
【図４】
2004253526.tif 000006